(57)【要約】【課題】十分な強度を有し、各鉄筋が整然と並んだ鉄筋構造物を提供する。【解決手段】鉄筋構造物１０Ａは、プリント金属板１１と横方向へ離間して並ぶ複数の鉄筋トラス１３と縦方向へ離間して並ぶ複数の第１横筋１４とから形成されている。鉄筋トラス１３は、縦方向へ延びる上端筋１９および一対の下端筋２０と上下方向へ波状に曲折を繰り返しながら縦方向へ延びる一対のラチス筋２１とから形成されている。鉄筋構造物１０Ａでは、ラチス筋２１がその上部２２から下部２３に向かって横方向外方へ向かって末広がりになり、ラチス筋２１の上部２２が上端筋１９に溶接され、ラチス筋２１の中間部２４が下端筋２０に溶接され、ラチス筋２１の下部２３が金属板１１に当接し、第１横筋１４が上端筋１９の上部に配置されて上端筋１９との交差箇所において上端筋１９に連結されている。【選択図】図１
2010275740.tif 000002
【特許請求の範囲】
【請求項１】
コンクリートを補強する鉄筋構造物において、
前記鉄筋構造物が、所定面積を有する板材と、前記板材の上面に位置して縦方向へ延びていて横方向へ所定寸法離間して並ぶ複数の鉄筋トラスと、前記板材の上面に位置して横方向へ延びていて縦方向へ所定寸法離間して並ぶ複数の第１横筋とを備え、前記鉄筋トラスが、板材の上面から上方に位置して縦方向へ延びる上端筋と、前記板材と前記上端筋との間に位置して縦方向へ延びる一対の下端筋と、前記板材と前記上端筋との間で上下方向へ波状に曲折を繰り返しながら縦方向へ延びる一対のラチス筋とから形成され、
前記ラチス筋が、その上部から下部に向かって横方向外方へ向かって末広がりになり、前記ラチス筋の上部が、前記上端筋に溶接され、前記ラチス筋の中間部が、前記下端筋に溶接され、前記ラチス筋の下部が、前記板材の上面に当接し、前記第１横筋が、前記上端筋の上部と下部とのいずれか一方に配置され、前記上端筋との交差箇所において結束線を介して該上端筋に連結されていることを特徴とする鉄筋構造物。
【請求項２】
前記鉄筋トラスでは、前記ラチス筋の下部が前記板材の上面と並行するように横方向外方へ屈曲して該板材の上面に当接する脚を形成している請求項１記載の鉄筋構造物。
【請求項３】
前記鉄筋構造物が、前記板材の上面に位置して横方向へ延びていて縦方向へ所定寸法離間して並ぶ複数の第２横筋を含み、前記第２横筋が、前記下端筋の上部と下部とのいずれか一方に配置され、前記下端筋との交差箇所において前記結束線を介して該下端筋に連結されている請求項１または請求項２に記載の鉄筋構造物。
【請求項４】
前記第１横筋が、前記上端筋と前記ラチス筋の上部との交差箇所またはその近傍において該上端筋に連結されている請求項１ないし請求項３いずれかに記載の鉄筋構造物。
【請求項５】
前記第２横筋が、前記下端筋と前記ラチス筋の中間部との交差箇所またはその近傍において該下端筋に連結されている請求項３または請求項４に記載の鉄筋構造物。
【請求項６】
前記板材には、その上面から上方へ突出して縦方向へ延びていて横方向へ所定寸法離間して並ぶ複数の位置決め用突条が形成されている請求項１ないし請求項５いずれかに記載の鉄筋構造物。
【請求項７】
前記鉄筋構造物では、横方向へ隣接する一対の前記位置決め用突条の間に前記鉄筋トラスを位置させ、一方のラチス筋の下部が一方の突条に当接または近接するとともに他方のラチス筋の下部が他方の突条に当接または近接するように前記鉄筋トラスを前記板材に配置したときに、各鉄筋トラスどうしが横方向へ等しい間隔で離間平行するように、前記突条の横方向の間隔が決められている請求項６記載の鉄筋構造物。
【請求項８】
前記鉄筋構造物では、横方向へ隣接する一対の前記位置決め用突条を跨いで前記鉄筋トラスを位置させ、一方のラチス筋の下部が一方の突条に当接または近接するとともに他方のラチス筋の下部が他方の突条に当接または近接するように前記鉄筋トラスを前記板材に配置したときに、各鉄筋トラスどうしが横方向へ等しい間隔で離間平行するように、前記突条の横方向の間隔が決められている請求項６記載の鉄筋構造物。
【請求項９】
前記板材には、下面に所定のデザインが印刷されたプリント金属板が使用されている請求項１ないし請求項８いずれかに記載の鉄筋構造物。
【発明の詳細な説明】
【技術分野】
【０００１】
本発明は、建造物におけるコンクリートを補強する鉄筋構造物に関する。
【背景技術】
【０００２】
上下方向に鉄筋を保持可能な鉄筋スペーサを利用して縦横方向へ延びる複数の鉄筋を型枠内に配置し、それら鉄筋を結束線を介して連結した鉄筋構造物がある（特許文献１参照）。鉄筋スペーサは、所定寸法離間して設置される第１鉄筋を載置する第１鉄筋載置部と、型枠面に沿う姿勢で第１鉄筋と捻れの位置に配置される第２鉄筋を型枠上方に離間する状態に載置する第２鉄筋載置部と、第１および第２鉄筋載置部を型枠面に沿う姿勢で型枠上方に離間する状態で支持する脚部とを有する。この鉄筋構造物は、鉄筋スペーサの第１鉄筋載置部に第１鉄筋を載置して支持することができるとともに、第２鉄筋載置部に第２鉄筋を型枠上方に離間する状態に載置して支持することができ、第１鉄筋から形成される鉄筋構造を第１鉄筋載置部によって支持し、第２鉄筋から形成される鉄筋構造を第２鉄筋載置部によって支持することにより、多くの鉄筋スペーサを使用せずに上下方向に複数の鉄筋を支持することが可能となる。この鉄筋構造物は、それを組み立てた後、型枠内にコンクリートを打設する。
【先行技術文献】
【特許文献】
【０００３】
【特許文献１】特開２０００−１６０７６９号公報
【発明の概要】
【発明が解決しようとする課題】
【０００４】
前記公報に開示の鉄筋構造物は、鉄筋スペーサを利用して第１および第２鉄筋を上下方向へ離間させて支持することはできるが、縦方向へ延びる第１鉄筋と横方向へ延びる第２鉄筋とを上下に離間させた構造であり、第１および第２鉄筋の間に斜め補強筋やあばら筋に相当する鉄筋が配置されていないから、第１および第２鉄筋の本数にもよるが、組み立てられた鉄筋構造物に強度不足が生じる場合がある。また、この鉄筋構造物は、第１および第２鉄筋を結束線を介して連結する際に、第１鉄筋と第２鉄筋との互いの位置決めができず、第１鉄筋と第２鉄筋とを整然と並べた状態で鉄筋構造物を組み立てることが難しい。
【０００５】
本発明の目的は、位置決めが容易であって簡単に組み立てることができる鉄筋構造物を提供することにある。本発明の他の目的は、十分な強度を有し、各鉄筋が整然と並んだ鉄筋構造物を提供することにある。
【課題を解決するための手段】
【０００６】
前記課題を解決するための本発明の前提は、コンクリートを補強する鉄筋構造物である。
【０００７】
前記前提における本発明の特徴は、鉄筋構造物が、所定面積を有する板材と、板材の上面に位置して縦方向へ延びていて横方向へ所定寸法離間して並ぶ複数の鉄筋トラスと、板材の上面に位置して横方向へ延びていて縦方向へ所定寸法離間して並ぶ複数の第１横筋とを備え、鉄筋トラスが、板材の上面から上方に位置して縦方向へ延びる上端筋と、板材と上端筋との間に位置して縦方向へ延びる一対の下端筋と、板材と上端筋との間で上下方向へ波状に曲折を繰り返しながら縦方向へ延びる一対のラチス筋とから形成され、ラチス筋がその上部から下部に向かって横方向外方へ向かって末広がりになり、ラチス筋の上部が上端筋に溶接され、ラチス筋の中間部が下端筋に溶接され、ラチス筋の下部が板材の上面に当接し、第１横筋が上端筋の上部と下部とのいずれか一方に配置され、上端筋との交差箇所において結束線を介して上端筋に連結されていることにある。
【０００８】
本発明に係る鉄筋構造物の一例として、鉄筋トラスでは、ラチス筋の下部が板材の上面と並行するように横方向外方へ屈曲して板材の上面に当接する脚を形成している。
【０００９】
本発明に係る鉄筋構造物の他の一例としては、鉄筋構造物が、板材の上面に位置して横方向へ延びていて縦方向へ所定寸法離間して並ぶ複数の第２横筋を含み、第２横筋が、下端筋の上部と下部とのいずれか一方に配置され、下端筋との交差箇所において結束線を介して下端筋に連結されている。
【００１０】
本発明に係る鉄筋構造物の他の一例としては、第１横筋が上端筋とラチス筋の上部との交差箇所またはその近傍において上端筋に連結されている。
【００１１】
本発明に係る鉄筋構造物の他の一例としては、第２横筋が下端筋とラチス筋の中間部との交差箇所またはその近傍において下端筋に連結されている。
【００１２】
本発明に係る鉄筋構造物の他の一例として、板材には、その上面から上方へ突出して縦方向へ延びていて横方向へ所定寸法離間して並ぶ複数の位置決め用突条が形成されている。
【００１３】
本発明に係る鉄筋構造物の他の一例として、鉄筋構造物では、横方向へ隣接する一対の位置決め用突条の間に鉄筋トラスを位置させ、一方のラチス筋の下部が一方の突条に当接または近接するとともに他方のラチス筋の下部が他方の突条に当接または近接するように鉄筋トラスを板材に配置したときに、各鉄筋トラスどうしが横方向へ等しい間隔で離間平行するように、突条の横方向の間隔が決められている。
【００１４】
本発明に係る鉄筋構造物の他の一例として、鉄筋構造物では、横方向へ隣接する一対の位置決め用突条を跨いで鉄筋トラスを位置させ、一方のラチス筋の下部が一方の突条に当接または近接するとともに他方のラチス筋の下部が他方の突条に当接または近接するように鉄筋トラスを板材に配置したときに、各鉄筋トラスどうしが横方向へ等しい間隔で離間平行するように、突条の横方向の間隔が決められている。
【００１５】
本発明に係る鉄筋構造物の他の一例として、板材には、下面に所定のデザインが印刷されたプリント金属板が使用されている。
【発明の効果】
【００１６】
本発明に係る鉄筋構造物によれば、それが板材と鉄筋トラスと第１横筋とから形成され、鉄筋トラスが上端筋と一対の下端筋と上下方向へ波状に曲折を繰り返す一対のラチス筋とを含み、ラチス筋が上端筋と下端筋との間を補強する補強筋としての機能を有するから、鉄筋構造物が上下端筋および第１横筋のみから作られている場合と比較し、それ自体が十分な強度を有するのみならず、それにコンクリートを打設した場合のそのコンクリートに作用する曲げ引張力や曲げ圧縮力、せん断力にコンクリートが耐え得るようにコンクリートを十分に補強することができる。鉄筋構造物は、ラチス筋の下部が板材に当接するから、板材が存在しない場合と比較し、それにコンクリートを打設したときに、ラチス筋の下部がコンクリートから露出することはなく、ラチス筋の下部がコンクリートから露出することによる下部の腐食や腐食による鉄筋コンクリートの強度低下を防ぐことができる。鉄筋構造物は、ラチス筋の上下方向へ波状に曲折を繰り返す寸法があらかじめ決まっているから、ラチス筋どうしを目印とすることで複数の鉄筋トラスを横方向へ並べるときの位置決めが容易となり、鉄筋トラスが横方向へ整然と並んだ鉄筋構造物を簡単に組み立てることができる。さらに、ラチス筋の上部と上端筋との交差箇所が縦方向へ等間隔で並んでいるから、それを目印とすることで第１横筋を上端筋に配置するときの位置決めが容易となり、上下端筋やラチス筋、第１横筋が整然と並んだ立体的な鉄筋構造物を簡単に組み立てることができる。この鉄筋構造物は、上下端筋やラチス筋、第１横筋が整然と並んでいるから、それにコンクリートを打設して鉄筋コンクリート構造物を構築した後、曲げ引張力や曲げ圧縮力、せん断力がコンクリートに作用したとしても、それら力によるコンクリートの破壊を確実に防ぐことができる。
【００１７】
ラチス筋の下部が板材の上面と並行するように横方向外方へ屈曲して板材の上面に当接する脚を形成している鉄筋構造物は、ラチス筋の下部の略全域が板材の上面に当接し、ラチス筋の下部が鉄筋トラスを確実に支持するから、板材の上面に配置された鉄筋トラスの不用意な転倒を防ぐことができる。この鉄筋構造物は、ラチス筋の下部（脚）を目印として下部（脚）どうしを横方向に一致させることで、複数の鉄筋トラスを横方向へ並べるときの位置決めが容易となり、鉄筋トラスが横方向へ整然と並んだ鉄筋構造物を簡単に組み立てることができる。
【００１８】
板材の上面に位置して横方向へ延びる複数の第２横筋を含み、第２横筋が下端筋の上部と下部とのいずれか一方に配置された鉄筋構造物は、それに板材や鉄筋トラス、第１横筋のみならず、第２横筋が含まれるから、その強度を一層向上させることができるのみならず、それにコンクリートを打設した場合のそのコンクリートに作用する曲げ引張力や曲げ圧縮力、せん断力にコンクリートが耐え得るようにコンクリートを十分に補強することができる。この鉄筋構造物は、第２横筋を下端筋の上下部のいずれかに結束線を介して連結されるから、第２横筋を板材から上方に離間した状態に支持することができ、上下端筋やラチス筋、第１および第２横筋から形成された立体的な鉄筋構造物を簡単に組み立てることができる。
【００１９】
第１横筋が上端筋とラチス筋の上部との交差箇所またはその近傍において上端筋に連結された鉄筋構造物は、上端筋とラチス筋の上部との交差箇所が縦方向へ等間隔で並んでいるから、その交差箇所を目印とすることで第１横筋を上端筋に配置するときの位置決めが容易であり、第１横筋を縦方向へ等間隔で離間させた状態で上端筋に連結することができ、上下端筋やラチス筋、第１横筋が整然と並んだ立体的な鉄筋構造物を簡単に組み立てることができる。この鉄筋構造物は、上下端筋やラチス筋、第１横筋が整然と並んでいるから、それにコンクリートを打設して鉄筋コンクリート構造物を構築した後、曲げ引張力や曲げ圧縮力、せん断力がコンクリートに作用したとしても、それら力によるコンクリートの破壊を確実に防ぐことができる。
【００２０】
第２横筋が下端筋とラチス筋の中間部との交差箇所またはその近傍において端筋に連結された鉄筋構造物は、下端筋とラチス筋の中間部との交差箇所が縦方向へ等間隔で並んでいるから、その交差箇所を目印とすることで第２横筋を下端筋に配置するときの位置決めが容易となり、第２横筋を縦方向へ等間隔で離間させた状態で下端筋に連結することができ、上下端筋やラチス筋、第１および第２横筋が整然と並んだ立体的な鉄筋構造物を簡単に組み立てることができる。この鉄筋構造物は、上下端筋やラチス筋、第１および第２横筋が整然と並んでいるから、それにコンクリートを打設して鉄筋コンクリート構造物を構築した後、曲げ引張力や曲げ圧縮力、せん断力がコンクリートに作用したとしても、それら力によるコンクリートの破壊を確実に防ぐことができる。
【００２１】
板材にその上面から上方へ突出して縦方向へ延びていて横方向へ所定寸法離間して並ぶ複数の位置決め用突条が形成された鉄筋構造物は、突条を目印とすることで、複数の鉄筋トラスを横方向へ並べるときの位置決めが容易となり、鉄筋トラスが横方向へ整然と並んだ鉄筋構造物を簡単に組み立てることができる。この鉄筋構造物は、板材に突条を形成することによって、板材自体の縦方向の曲げ強度を向上させることができるとともに、鉄筋構造物にコンクリートを打設した場合の板材とコンクリートとの接合強度を向上させることができる。
【００２２】
横方向へ隣接する一対の位置決め用突条の間に鉄筋トラスを位置させ、一方のラチス筋の下部が一方の突条に当接または近接するとともに他方のラチス筋の下部が他方の突条に当接または近接するように鉄筋トラスを板材に配置したときに、各鉄筋トラスどうしが横方向へ等しい間隔で離間平行するように、突条の横方向の間隔が決められている鉄筋構造物は、互いに隣接する一対の突条の間に鉄筋トラスを配置することで、トラスの横方向の位置決めができるから、横方向の離間寸法を計りながらトラスを板材の上面に配置する必要はなく、板材の上面においてトラスを横方向へ等しい間隔で離間平行させることができる。この鉄筋構造物は、鉄筋トラスの横方向の位置決めが容易であり、鉄筋トラスが横方向へ整然と並んだ鉄筋構造物を簡単に組み立てることができる。
【００２３】
横方向へ隣接する一対の位置決め用突条を跨いで鉄筋トラスを位置させ、一方のラチス筋の下部が一方の突条に当接または近接するとともに他方のラチス筋の下部が他方の突条に当接または近接するように鉄筋トラスを板材に配置したときに、各鉄筋トラスどうしが横方向へ等しい間隔で離間平行するように、突条の横方向の間隔が決められている鉄筋構造物は、互いに隣接する一対の突条を跨いで鉄筋トラスを配置することで、トラスの横方向の位置決めができるから、横方向の離間寸法を計りながらトラスを板材の上面に配置する必要はなく、板材の上面においてトラスを横方向へ等しい間隔で離間平行させることができる。この鉄筋構造物は、鉄筋トラスの横方向の位置決めが容易であり、鉄筋トラスが横方向へ整然と並んだ鉄筋構造物を簡単に組み立てることができる。
【００２４】
板材として下面に所定のデザインが印刷されたプリント金属板が使用された鉄筋構造物は、それを天井用板材や壁用板材、床用板材として使用したときに、天井や壁、床に露出する板材の下面が装飾的効果を発揮し、天井や壁、床に別途装飾を施すことなく、鉄筋構造物自体を意匠的な仕上げを施した天井や壁、床として利用することができる。
【図面の簡単な説明】
【００２５】
【図１】一例として示す鉄筋構造物の斜視図。
【図２】図１の鉄筋構造物の上面図。
【図３】図１の３−３線矢視断面図。
【図４】他の一例として示す鉄筋構造物の斜視図。
【図５】図４の鉄筋構造物の上面図。
【図６】図４の６−６線矢視断面図。
【図７】他の一例として示す鉄筋構造物の斜視図。
【図８】図７の鉄筋構造物の上面図。
【図９】図７の９−９線矢視断面図。
【図１０】他の一例として示す鉄筋構造物の斜視図。
【図１１】図１０の鉄筋構造物の上面図。
【図１２】図１０の１２−１２線矢視断面図。
【図１３】他の一例として示す鉄筋構造物の斜視図。
【図１４】図１３の鉄筋構造物の上面図。
【図１５】図１３の１５−１５線矢視断面図。
【図１６】他の一例として示す鉄筋構造物の斜視図。
【図１７】図１６の鉄筋構造物の上面図。
【図１８】図１６の１８−１８線矢視断面図。
【発明を実施するための形態】
【００２６】
一例として示す鉄筋構造物１０Ａの斜視図である図１や鉄筋構造物１０Ａの上面図である図２、図１の３−３線矢視断面図である図３等の添付の図面を参照し、本発明に係る鉄筋構造物の詳細を説明すると、以下のとおりである。図１〜３では、縦方向を矢印Ａ（図１，２のみ）、横方向を矢印Ｂで示し、上下方向を矢印Ｃ（図３のみ）で示す。図１，２では、鉄筋構造物１０Ａの縦方向の図示を一部省略し、図２，３では、結束線２８の図示を省略している。図１〜３では、型枠１８のうちの底板（合板）のみを図示し、型枠１８の各側板（合板）の図示を省略している。この鉄筋構造物１０Ａは、所定面積を有する縦長のプリント金属板１１（板材）と、金属板１１の上面１２に位置して横方向へ並ぶ複数の鉄筋トラス１３と、金属板１１の上面１２に位置して縦方向へ並ぶ複数の第１横筋１４（配力筋）とから作られている。
【００２７】
プリント金属板１１は、縦方向へ延びる両側部および横方向へ延びる両端部（一方の端部の図示は省略）を備え、フラットな上面１２および下面１５を有する。金属板１１の一方の側部には第１フック１６が形成され、他方の側部には第２フック１７が形成されている。第１フック１６は、金属板１１の側部を上面１２の側であって横方向内方に折り曲げることから作られている。第２フック１７は、金属板１１の側部を下面１５の側であって横方向内方に折り曲げることから作られている。
【００２８】
プリント金属板１１の上面１２には、メッキ処理が施されている。金属板１１の下面１５には、壁に用いられる各種の模様や天井に用いられる各種の模様、床に用いられる各種の模様等の所定のデザイン（図示せず）が印刷（プリント）されている。なお、金属板１１の下面１５に印刷されるデザインに特に限定はない。また、板材としてプリント金属板１１を例示しているが、プリント金属板１１の他に、鉄板やプラスチック板を使用することもできる。
【００２９】
それらプリント金属板１１は、一方の金属板１１の第１フック１６に他方の金属板１１の第２フック１７を引っ掛け、それらフック１６，１７どうしを互いに係合させることで、それら金属板１１を横方向へつなげ、複数の金属板１１を連結した状態で横方向へ並べることができる。なお、金属板１１の面積に特に限定はなく、その面積を自由に変えることができる。また、金属板１１が複数枚に分割され、分割された板どうしをつなぎ合わせることで、所定面積の金属板１１を作ることもできる。金属板１１は、型枠１８の底板の上に載せられ、その下面１５が底板に当接している。
【００３０】
鉄筋トラス１３は、１本の上端筋１９と２本（一対）の下端筋２０と２本（一対）のラチス筋２１とから作られている。それら鉄筋トラス１３は、金属板１１の上面１２に配置されて縦方向へ延びている。上端筋１９は、金属板１１の上面１２から上方へ所定寸法離間して縦方向へ直状に延びている。それら下端筋２０は、上端筋１９の下方であって上端筋１９の横方向両側に位置し、金属板１１の上面１２から上方へ所定寸法離間して縦方向へ直状に延びている。それら鉄筋トラス１３では、上端筋１９の縦方向の長さ寸法が同一であり、下端筋２０の縦方向の長さ寸法が同一である。
【００３１】
鉄筋構造物１０Ａは、横方向に隣接する鉄筋トラス１３どうしの離間寸法Ｌ１が等しく、それら鉄筋トラス１３が互いに平行して横方向へ等間隔で並んでいる。ゆえに、それら鉄筋トラス１３の横方向に隣接する上端筋１９どうしの離間寸法が等しく、それら上端筋１９が互いに平行して横方向へ等間隔で並び、それら鉄筋トラス１３の横方向に隣接する下端筋２０どうしの離間寸法が等しく、それら下端筋２０が互いに平行して横方向へ等間隔で並んでいる。離間寸法Ｌ１は、一方の鉄筋トラス１３の上端筋１９の中心からそのトラス１３に隣接する他方のトラス１３の上端筋１９の中心までの寸法である。
【００３２】
ラチス筋２１は、金属板１１と上端筋１９との間に位置して上下方向へ波状に曲折（起伏）を繰り返しながら縦方向へ延びている。ラチス筋２１は、上部２２および下部２３と、上下部２２，２３の間に延びる中間部２４とを有する。それら鉄筋トラス１３の各ラチス筋２１の上下方向へ波状に曲折を繰り返す角度は一定であり、単位長さ（たとえば１ｍ）当たりのラチス筋２１の曲折を繰り返す回数は同一である。なお、ラチス筋２１の上下方向へ波状に曲折を繰り返す角度は自由に変えることができ、その角度を調節（単位長さ当たりのラチス筋２１の曲折を繰り返す回数を調節）することで、ラチス筋２１の上部２２どうしの縦方向の離間寸法を調節することができ、ラチス筋２１の下部２３どうしの縦方向の離間寸法を調節することができる。
【００３３】
鉄筋トラス１３を形成する一対のラチス筋２１は、上端筋１９を挟んで横方向へ対称型に配置されている。したがって、横方向に並ぶ一対のラチス筋２１の上部２２どうしの位置が一致し、中間部２４どうしの位置が一致しており、下部２３どうしの位置が一致している。ラチス筋２１は、図３に示すように、金属板１１に対して所定角度で傾斜し、その上部２２から下部２３に向かって横方向外方へ末広がりを呈する。ラチス筋２１の傾斜角度について特に限定はなく、傾斜角度を自由に変えることができる。
【００３４】
ラチス筋２１の上部２２は、図１に示すように、上下方向上方へ向かって凸となるように弧を画いている。上部２２は、上端筋１９の横方向両側に当接し、上部２２のうちの上端筋１９と交差する部分（交差箇所）が上端筋１９にスポット溶接されている。ラチス筋２１の中間部２４は、それら下部筋２０の内側に位置し、中間部２４のうちの下端筋２０と交差する部分（交差箇所）が下端筋２０にスポット溶接されている。ラチス筋２１の下部２３は、図２に示すように、金属板１１の上面１２と並行するように、横方向外方へ折り曲げられ（横方向外方へ屈曲し）、横方向外方へ向かって凸となるように弧を画いている。下部２３は、その略全域が金属板１１の上面１２に当接することで、鉄筋トラス１３を支持する脚を形成している。
【００３５】
スポット溶接では、図示はしていないが、上端筋１９や下端筋２０、ラチス筋２１を電極で挟み、電極に高電圧を印加してそれら上端筋１９や下端筋２０、ラチス筋２１を加熱溶融した後、上端筋１９や下端筋２０、ラチス筋２１を自然冷却し、上端筋１９とラチス筋２１とを交差箇所において互いに溶着させ、下端筋２０とラチス筋２１とを交差箇所において互いに溶着させる。鉄筋トラス１３では、各ラチス筋２１の縦方向に隣接する上部２２どうしの離間寸法が等しく、上部２２が縦方向へ等間隔で並び、各ラチス筋２１の縦方向に隣接する下部２３どうしの離間寸法が等しく、下部２３が縦方向へ等間隔で並ぶとともに、下端筋２０とラチス筋２１との交差箇所が縦方向へ等間隔で並んでいる。
【００３６】
第１横筋１４は、上端筋１９の上部であって上端筋１９とラチス筋２１の上部２２との交差箇所またはその近傍に配置され、上端筋１９の上部との交差箇所において結束線２８を介して上端筋１９に連結されている。なお、図１では、結束線２８の図示を一部省略しているが、実際には上端筋１９の上部と第１横筋１４との交差箇所のすべてにおいて上端筋１９と第１横筋１４とが結束線２８を介して連結されている。
【００３７】
それら第１横筋１４は、横方向の長さ寸法が同一である。第１横筋１４は、上端筋１９の上部の他に、上端筋１９の下部であって上端筋１９とラチス筋２１の上部２２との交差箇所またはその近傍に配置され、上端筋１９の下部との交差箇所において結束線２８を介して上端筋１９に連結されていてもよい。また、上端筋１９の上部または下部であって縦方向に隣接するラチス筋２１の上部２２の間（ラチス筋１７の上部１８の間に延びる上端筋１５の縦方向中央）に配置され、上端筋１９の上部または下部との交差箇所において結束線２８を介して上端筋１９に連結されていてもよい。鉄筋構造物１０Ａは、縦方向に隣接する第１横筋１４どうしの離間寸法が等しく、それら第１横筋１４が互いに平行して縦方向へ等間隔で並んでいる。
【００３８】
鉄筋構造物１０Ａでは、鉄筋トラス１３の数や第１横筋１４の数に時に限定はなく、構築する床スラブや屋根スラブ、壁等の大きさやそれらに必要な強度に合わせて図示の数を超える鉄筋トラス１３が金属板１１に配置されていてもよく、図示の数を超える第１横筋１４が鉄筋トラス１３の上端筋１９に連結されていてもよい。上端筋１９や下端筋２０、ラチス筋２１、第１横筋１４は、鉄を延伸して作られた断面形状が略円形の鉄棒であり、その周面に節（リブ）（図示せず）がある異形鉄棒が使用されている。
【００３９】
上端筋１９や下端筋２０、ラチス筋２１、第１横筋１４は、それらの太さについて特に限はなく、構築する床スラブや屋根スラブ、壁等の大きさやそれらに必要な強度に合わせて上端筋１９や下端筋２０、ラチス筋２１、第１横筋１４の太さを自由に変えることができる。上端筋１９や下端筋２０、ラチス筋２１、第１横筋１４は鉄から作られているが、鉄以外の金属から作ることもできる。また、上端筋１９や下端筋２０、ラチス筋２１、第１横筋１４に鉄を用いる場合は、それらにメッキ等の防錆処理が施されていてもよい。
【００４０】
この鉄筋構造物１０Ａを作る手順の一例は、以下のとおりである。最初に合板を組み合わせて型枠１８を作り、その型枠１８の内側にプリント金属板１１を配置する。次に、メジャーを利用して鉄筋トラス１３を置く場所を示す目印を金属板１１の上面１２に付ける。目印は、それら鉄筋トラス１３が横方向へ等間隔で並ぶように所定の間隔を開けて付ける。目印に合わせて鉄筋トラス１３を金属板１１の上面１２に置き、鉄筋トラス１３を横方向へ並べる。このとき、上端筋１９や下端筋２０の長さ寸法が同一であるから、それらの縦方向端縁を横方向に揃え、トラス１３の位置決めを行い、それらトラス１３を横方向へ順に並べる。または、ラチス筋２１の上下方向へ波状に曲折を繰り返す寸法があらかじめ決まっているから、ラチス筋２１全体を目印としてラチス筋２１どうしを横方向へ揃え、トラス１３の位置決めを行い、それらトラス１３を横方向へ順に並べる。あるいは、ラチス筋２１の上部２２を目印として上部２２どうしを横方向へ揃えるとともに、ラチス筋２１の下部２３を目印として下部２３どうしを横方向へ揃え、トラス１３の位置決めを行い、それらトラス１３を横方向へ順に並べる。上下端筋１９，２０、ラチス筋２１やその上部２２、下部２３を目印としてトラス１３の位置決めを行うことで、トラス１３が横方向へ整然と並ぶ。
【００４１】
それらトラス１３を金属板１１の上面１２に並べた後、上端筋１９の上部であって上端筋１９とラチス筋２１の上部２２との交差箇所またはその近傍に第１横筋１４を配置し、上端筋１９の上部との交差箇所において結束線２８を介して第１横筋１４を上端筋１９に連結する。このとき、上端筋１９とラチス筋２１の上部２２との交差箇所を目印として第１横筋１４の位置決めを行い、それら第１横筋１４を縦方向へ並べる。上端筋１９とラチス筋２１の上部２２との交差箇所を目印として第１横筋１４の位置決めを行うことで、第１横筋１４が縦方向へ整然と並ぶ他、トラス１３を横方向へ並べたときにそれらトラス１３どうしに縦方向の多少のずれがあったとしても、第１横筋１４を上端筋１９に連結する際に、そのずれが修正され、トラス１３が縦横方向へ確実に位置決めされた状態で整然と並ぶ。
【００４２】
プリント金属板１１の上面１２に鉄筋トラス１３と第１横筋１４とを配置して鉄筋構造物１０Ａを作った後、トラス１３の上方から型枠１８内にコンクリート（図示せず）を打設し、所定期間養生する。養生期間が経過した後、型枠１８を外し、床スラブや屋根スラブ、壁等の鉄筋コンクリート構造物を構築する。なお、プリント金属板１１の下面１２が天井や壁、床に露出することで、金属板１１にプリントされたデザインが外部から視認可能となる。原料セメントには、プレミックスセメント，ポルトランドセメント，高炉セメント，フライアッシュセメント，シリカセメント等の既存のそれらを使用することができる。水には、水道水、河川水、湖沼水、井戸水、地下水等が使用することができる。骨材には、粗骨材や細骨材が使用することができる。
【００４３】
鉄筋構造物１０Ａは、それがプリント金属板１１と鉄筋トラス１３と第１横筋１４とから形成され、鉄筋トラス１３が上端筋１９と一対の下端筋２０と上下方向へ波状に曲折を繰り返す一対のラチス筋２１とを含み、ラチス筋２１が上端筋１９と下端筋２０との間を補強する補強筋としての機能を有するから、鉄筋構造物１０Ａが上下端筋１９，２０および第１横筋１４のみから作られている場合と比較し、それ自体が十分な強度を有するのみならず、それにコンクリートを打設した場合のそのコンクリートに作用する曲げ引張力や曲げ圧縮力、せん断力にコンクリートが耐え得るようにコンクリートを十分に補強することができる。鉄筋構造物１０Ａは、ラチス筋２１の下部２３が金属板１１の上面１２に当接するから、金属板１１が存在しない場合と比較し、それにコンクリートを打設したときに、ラチス筋２１の下部２３がコンクリートから露出することはなく、ラチス筋２１の下部２３がコンクリートから露出することによる下部２３の腐食や腐食による鉄筋コンクリートの強度低下を防ぐことができる。
【００４４】
鉄筋構造物１０Ａは、上端筋１９や下端筋２０の長さ寸法が同一であり、ラチス筋１３の上下方向へ波状に曲折を繰り返す寸法があらかじめ決まっているから、上端筋１９や下端筋２０、ラチス筋２１どうしを目印とすることで複数の鉄筋トラス１３を横方向へ並べるときの位置決めが容易であり、鉄筋トラス１３が横方向へ整然と並んだ鉄筋構造物１０Ａを簡単に組み立てることができる。さらに、ラチス筋２１の上部２２や下部２３、上部２２と上端筋１９との交差箇所が縦方向へ等間隔で並んでいるから、それを目印とすることで第１横筋１４を上端筋１９に配置するときの位置決めが容易となり、上下端筋１９，２０やラチス筋２１、第１横筋１４が整然と並んだ立体的な鉄筋構造物１０Ａを簡単に組み立てることができる。鉄筋構造物１０Ａは、上下端筋１９，２０やラチス筋２１、第１横筋１４が整然と並んでいるから、それにコンクリートを打設して鉄筋コンクリート構造物を構築した後、曲げ引張力や曲げ圧縮力、せん断力がコンクリートに作用したとしても、それら力によるコンクリートの破壊を確実に防ぐことができる。
【００４５】
鉄筋構造物１０Ａは、プリント金属板１１の上面１２と並行するように横方向外方へ屈曲するラチス筋２１の下部２３が脚を形成し、ラチス筋２１の下部２３の略全域が金属板１１の上面１２に当接してラチス筋２１の下部２３が鉄筋トラス１３を確実に支持するから、金属板１１の上面１２に配置された鉄筋トラス１３の不用意な転倒を防ぐことができる。鉄筋構造物１０Ａは、板材として下面１２に所定のデザインを印刷したプリント金属板１１が使用されているから、それを天井用板材や壁用板材、床用板材として使用したときに、天井や壁、床に露出する板材の下面が装飾的効果を発揮し、天井や壁、床に別途装飾を施すことなく、鉄筋構造物１０Ａ自体を意匠的な仕上げを施した天井や壁、床として利用することができる。
【００４６】
図４は、他の一例として示す鉄筋構造物１０Ｂの斜視図であり、図５は、図４の鉄筋構造物１０Ｂの上面図である。図６は、図４の６−６線矢視断面図である。図４〜６では、縦方向を矢印Ａ（図４，５のみ）、横方向を矢印Ｂで示し、上下方向を矢印Ｃ（図６のみ）で示す。図４，５では、鉄筋構造物１０Ｂの縦方向の図示を一部省略し、図５，６では、結束線２８の図示を省略している。図４〜６では、型枠１８のうちの底板（合板）のみを図示し、型枠１８の各側板（合板）の図示を省略している。
【００４７】
この鉄筋構造物１０Ｂは、所定面積を有する縦長のプリント金属板１１（板材）と、金属板１１の上面１２に位置して横方向へ並ぶ複数の鉄筋トラス１３と、金属板１１の上面１２に位置して縦方向へ並ぶ複数の第１横筋１４とから作られている。この鉄筋構造物１０Ｂが図１のそれと異なるのは、プリント金属板１１に位置決め用突条２５が形成されている点と、その突条２５を目印として鉄筋トラス１３が金属板１１の上面１２に配置されている点とにある。なお、この鉄筋構造物１０Ｂのその他の構成は図１の鉄筋構造物１０Ａと同一であるから、図１と同様の符号を付すことで、この鉄筋構造物１０Ｂにおけるその他の構成の説明は省略する。
【００４８】
プリント金属板１１の下面１５には、図１の金属板１１のそれと同様に、所定のデザインが印刷されている。金属板１１には、その上面１２から上方へ突出する複数の位置決め用突条２５が形成されている。それら突条２５は、金属板１１の上面１２において互いに平行して縦方向へ延びている。突条２５は、金属板１１の一部分を横方向内方へ折り曲げることから作られている。突条２５は、金属板１１の上面１２から上下方向上方へ凸となるように弧を画いている。それら突条２５は、上下方向へ所定の高さ寸法を有して目視可能である。金属板１１では、横方向に隣接する突条２５どうしの離間寸法Ｌ２が等しく、それら突条２５が横方向へ等間隔で並んでいる。
【００４９】
鉄筋トラス１３は、その上端筋１９が位置決め用突条２５に並行するように（上端筋１９の直下に突条２５が位置するように）、プリント金属板１１の上面１２に配置されている。鉄筋トラス１３は、各ラチス筋２１の縦方向に隣接する上部２２どうしの離間寸法が等しく、上部２２が縦方向へ等間隔で並び、各ラチス筋２１の縦方向に隣接する下部２３どうしの離間寸法が等しく、下部２３が縦方向へ等間隔で並ぶとともに、下端筋１９とラチス筋２１との交差箇所が縦方向へ等間隔で並んでいる。
【００５０】
鉄筋構造物１０Ｂでは、上端筋１９を位置決め用突条２５に並行させて鉄筋トラス１３を金属板１１の上面１２に配置したときに、それら鉄筋トラス１３どうしが横方向へ等しい間隔で離間平行するように、各突条２５どうしの横方向の離間寸法Ｌ２が決められている。鉄筋構造物１０Ｂは、横方向に隣接する鉄筋トラス１３どうしの離間寸法Ｌ１が等しく、それら鉄筋トラス１３が互いに平行して横方向へ等間隔で並んでいる。ゆえに、それら鉄筋トラス１３の横方向に隣接する上端筋１９どうしの離間寸法が等しく、それら上端筋１９が互いに平行して横方向へ等間隔で並び、それら鉄筋トラス１３の横方向に隣接する下端筋２０どうしの離間寸法が等しく、それら下端筋２０が互いに平行して横方向へ等間隔で並んでいる。鉄筋構造物１０Ｂは、縦方向に隣接する第１横筋１４どうしの離間寸法が等しく、それら第１横筋１４が互いに平行して縦横方向へ等間隔で並んでいる。
【００５１】
この鉄筋構造物１０Ｂを作る手順は、鉄筋トラス１３を置く場所を示す目印を金属板１１の上面１２に付けることなく、鉄筋トラス１３の上端筋１９が突条２５に並行するようにそれらトラス１３を金属板１１の上面１２に配置する以外、図１の鉄筋構造物１０Ａのそれと同一である。なお、トラス１３を横方向へ並べたときにそれらトラス１３どうしに縦方向の多少のずれがあったとしても、第１横筋１４を上端筋１９に連結する際に、そのずれが修正され、トラス１３が縦横方向へ確実に位置決めされた状態で整然と並ぶ。金属板１１の上面１２に鉄筋トラス１３と第１横筋１４とを配置して鉄筋構造物１０Ｂを作った後、トラス１３の上方から型枠１８内にコンクリートを打設し、所定期間養生する。養生期間が経過した後、型枠１８を外し、床スラブや屋根スラブ、壁等の鉄筋コンクリート構造物を構築する。
【００５２】
この鉄筋構造物１０Ｂは、図１の鉄筋構造物１０Ａが有する効果に加え、以下の効果を有する。鉄筋構造物１０Ｂは、位置決め用突条２５を目印とすることで、複数の鉄筋トラス１３を横方向へ並べるときの位置決めが容易となり、鉄筋トラス１３が横方向へ整然と並んだ鉄筋構造物１０Ｂを簡単に組み立てることができる。この鉄筋構造物１０Ｂは、金属板１１に突条２５を形成することによって、金属板１５自体の縦方向の曲げ強度を向上させることができるとともに、鉄筋構造物１０Ｂにコンクリートを打設した場合の金属板１１とコンクリートとの接合強度を向上させることができる。
【００５３】
図７は、他の一例として示す鉄筋構造物１０Ｃの斜視図であり、図８は、図７の鉄筋構造物１０Ｃの上面図である。図９は、図７の９−９線矢視断面図である。図７〜９では、縦方向を矢印Ａ（図７，８のみ）、横方向を矢印Ｂで示し、上下方向を矢印Ｃ（図９のみ）で示す。図７，８では、鉄筋構造物１０Ｃの縦方向の図示を一部省略し、図８，９では、結束線２８の図示を省略している。図７〜９では、型枠１８のうちの底板（合板）のみを図示し、型枠１８の各側板（合板）の図示を省略している。
【００５４】
この鉄筋構造物１０Ｃは、所定面積を有する縦長のプリント金属板１１（板材）と、金属板１１の上面１２に位置して横方向へ並ぶ複数の鉄筋トラス１３と、金属板１１の上面１２に位置して縦方向へ並ぶ複数の第１横筋１４とから作られている。この鉄筋構造物１０Ｃが図１のそれと異なるのは、プリント金属板１１に位置決め用突条２６が形成されている点と、鉄筋トラス１３が横方向へ隣接する一対の突条２６の間に配置されている点とにある。なお、この鉄筋構造物１０Ｃのその他の構成は図１の鉄筋構造物１０Ａと同一であるから、図１と同様の符号を付すことで、この鉄筋構造物１０Ｃにおけるその他の構成の説明は省略する。
【００５５】
プリント金属板１１の下面１５には、図１の金属板１１のそれと同様に、所定のデザインが印刷されている。金属板１１には、その上面１２から上方へ突出して横方向へ並ぶ複数の位置決め用突条２６が形成されている。突条２６は、金属板１１の一部分を横方向内方へ折り曲げ、金属板１１の一部分をその上面１２から上方へ向かって山折りし、山折りした部分において金属板１１の下面１５どうしを隙間なく圧接することから作られている。それら突条２６は、上下方向へ所定の高さ寸法を有して目視可能であり、その側面形状が帯状を呈するとともに、上方から見た形状が略線状を呈する。なお、金属板１１に図４の形の突条２５が形成されていてもよい。
【００５６】
この鉄筋構造物１０Ｃでは、横方向へ隣接する一対の位置決め用突条２６のうち、一方の突条２６が一方のラチス筋２１の下部２３（脚の先端）の横方向外側に位置し、他方の突条２６が他方のラチス筋２１の下部２３（脚の先端）の横方向外側に位置している。鉄筋構造物１０Ｃでは、プリント金属板１１の上面１２において一方のラチス筋２１の下部２３（脚の先端）が一方の突条２６に当接（または近接）し、他方のラチス筋２１の下部２３（脚の先端）が他方の突条２６に当接（または近接）している。
【００５７】
鉄筋構造物１０Ｃでは、横方向へ隣接する一対の位置決め用突条２６の間に鉄筋トラス１３を位置させ、一方のラチス筋２１の下部２３が一方の突条２６に当接するとともに他方のラチス筋２１の下部２３が他方の突条２６に当接するように鉄筋トラス１３を金属板１１の上面１２に配置したときに、各鉄筋トラス１３どうしが横方向へ等しい間隔で離間平行するように、突条２６の横方向の間隔（離間寸法）が決められている。
【００５８】
鉄筋トラス１３は、各ラチス筋２１の縦方向に隣接する上部２２どうしの離間寸法Ｌ１が等しく、上部２２が縦方向へ等間隔で並び、各ラチス筋２１の縦方向に隣接する下部２３どうしの離間寸法が等しく、下部２３が縦方向へ等間隔で並ぶとともに、下端筋２０とラチス筋２１との交差箇所が縦方向へ等間隔で並んでいる。鉄筋構造物１０Ｃは、横方向に隣接する鉄筋トラス１３どうしの離間寸法が等しく、それら鉄筋トラス１３が互いに平行して横方向へ等間隔で並んでいる。ゆえに、それら鉄筋トラス１３の横方向に隣接する上端筋１９どうしの離間寸法が等しく、それら上端筋１９が互いに平行して横方向へ等間隔で並び、それら鉄筋トラス１３の横方向に隣接する下端筋２０どうしの離間寸法が等しく、それら下端筋２０が互いに平行して横方向へ等間隔で並んでいる。鉄筋構造物１０Ｃは、縦方向に隣接する第１横筋１４どうしの離間寸法が等しく、それら第１横筋１４が互いに平行して縦横方向へ等間隔で並んでいる。
【００５９】
この鉄筋構造物１０Ｃを作る手順は、鉄筋トラス１３を置く場所を示す目印を金属板１１の上面１２に付けることなく、横方向へ隣接する一対の位置決め用突条２６の間に鉄筋トラス１３を配置する以外、図１の鉄筋構造物１０Ａのそれと同一である。なお、トラス１３を横方向へ並べたときにそれらトラス１３どうしに縦方向の多少のずれがあったとしても、第１横筋１４を上端筋１９に連結する際に、そのずれが修正され、トラス１３が縦横方向へ確実に位置決めされた状態で整然と並ぶ。金属板１１の上面１２に鉄筋トラス１３と第１横筋１４とを配置して鉄筋構造物１０Ｃを作った後、トラス１３の上方から型枠１８内にコンクリートを打設し、所定期間養生する。養生期間が経過した後、型枠１８を外し、床スラブや屋根スラブ、壁等の鉄筋コンクリート構造物を構築する。
【００６０】
この鉄筋構造物１０Ｃは、図１の鉄筋構造物１０Ａが有する効果に加え、以下の効果を有する。鉄筋構造物１０Ｃは、互いに隣接する一対の突条２６の間に鉄筋トラス１３を配置することで、トラス１３の横方向の位置決めができるから、横方向の離間寸法を計りながらトラス１３をプリント金属板１１の上面１２に配置する必要はなく、金属板１１の上面１２においてトラス１３を横方向へ等しい間隔で離間平行させることができる。この鉄筋構造物１０Ｃは、鉄筋トラス１３の横方向の位置決めが容易であり、鉄筋トラス１３が横方向へ整然と並んだ鉄筋構造物１０Ｃを簡単に組み立てることができる。
【００６１】
図１０は、他の一例として示す鉄筋構造物１０Ｄの斜視図であり、図１１は、図１０の鉄筋構造物１０Ｄの上面図である。図１２は、図１０の１２−１２線矢視断面図である。図１０〜１２では、縦方向を矢印Ａ（図１０，１１のみ）、横方向を矢印Ｂで示し、上下方向を矢印Ｃ（図１２のみ）で示す。図１０，１１では、鉄筋構造物１０Ｄの縦方向の図示を一部省略し、図１１，１２では、結束線２８の図示を省略している。図１０〜１２では、型枠１８のうちの底板（合板）のみを図示し、型枠１８の各側板（合板）の図示を省略している。
【００６２】
この鉄筋構造物１０Ｄは、所定面積を有する縦長のプリント金属板１１（板材）と、金属板１１の上面１２に位置して横方向へ並ぶ複数の鉄筋トラス１３と、金属板１１の上面１２に位置して縦方向へ並ぶ複数の第１横筋１４とから作られている。この鉄筋構造物１０Ｄが図１のそれと異なるのは、プリント金属板１１に複数の位置決め用突条２６が形成されている点と、鉄筋トラス１３が横方向へ隣接する一対の突条２６を跨いで配置されている点とにある。
【００６３】
なお、この鉄筋構造物１０Ｄのその他の構成は図１の鉄筋構造物１０Ａと同一であるから、図１と同様の符号を付すことで、この鉄筋構造物１０Ｄにおけるその他の構成の説明は省略する。プリント金属板１１の下面１５には、図１の金属板１１のそれと同様に、所定のデザインが印刷されている。突条２６は、その形は図７のそれと同一であり、金属板１１の上面１２から上方へ突出して横方向へ並んでいる。なお、金属板１１に図４の形の突条２５が形成されていてもよい。
【００６４】
この鉄筋構造物１０Ｄでは、横方向へ隣接する一対の位置決め用突条２６のうち、一方の突条２６が一方のラチス筋２１の下部２３（脚の先端）の横方向内側に位置し、他方の突条２６が他方のラチス筋２１の下部２３（脚の先端）の横方向内側に位置している。鉄筋構造物１０Ｄでは、プリント金属板１１の上面１２において一方のラチス筋２１の下部２３（脚の基端）が一方の突条２６に当接（または近接）し、他方のラチス筋２１の下部２３（脚の基端）が他方の突条２６に当接（または近接）している。
【００６５】
鉄筋構造物１０Ｄでは、横方向へ隣接する一対の位置決め用突条２６を跨いで鉄筋トラス１３を位置させ、一方のラチス筋２１の下部２３が一方の突条２６に当接するとともに他方のラチス筋２１の下部２３が他方の突条２６に当接するように鉄筋トラス１３を金属板１１の上面１２に配置したときに、各鉄筋トラス１３どうしが横方向へ等しい間隔で離間平行するように、突条２６の横方向の間隔（離間寸法）が決められている。
【００６６】
鉄筋トラス１３は、各ラチス筋２１の縦方向に隣接す上部２２どうしの離間寸法が等しく、上部２２が縦方向へ等間隔で並び、各ラチス筋２１の縦方向に隣接する下部２３どうしの離間寸法が等しく、下部２３が縦方向へ等間隔で並ぶとともに、下端筋２０とラチス筋２１との交差箇所が縦方向へ等間隔で並んでいる。鉄筋構造物１０Ｄは、横方向に隣接する鉄筋トラス１３どうしの離間寸法Ｌ１が等しく、それら鉄筋トラス１３が互いに平行して横方向へ等間隔で並んでいる。ゆえに、それら鉄筋トラス１３の横方向に隣接する上端筋１９どうしの離間寸法が等しく、それら上端筋１９が互いに平行して横方向へ等間隔で並び、それら鉄筋トラス１３の横方向に隣接する下端筋２０どうしの離間寸法が等しく、それら下端筋２０が互いに平行して横方向へ等間隔で並んでいる。鉄筋構造物１０Ｄは、縦方向に隣接する第１横筋１４どうしの離間寸法が等しく、それら第１横筋１４が互いに平行して縦横方向へ等間隔で並んでいる。
【００６７】
この鉄筋構造物１０Ｄを作る手順は、鉄筋トラス１３を置く場所を示す目印を金属板１１の上面１２に付けることなく、横方向へ隣接する一対の位置決め用突条２６を跨いで鉄筋トラス１３を配置する以外、図１の鉄筋構造物１０Ａのそれと同一である。なお、トラス１３を横方向へ並べたときにそれらトラス１３どうしに縦方向の多少のずれがあったとしても、第１横筋１４を上端筋１９に連結する際に、そのずれが修正され、トラス１３が縦横方向へ確実に位置決めされた状態で整然と並ぶ。金属板１１の上面１２に鉄筋トラス１３と第１横筋１４とを配置して鉄筋構造物１０Ｄを作った後、トラス１３の上方から型枠１８内にコンクリートを打設し、所定期間養生する。養生期間が経過した後、型枠１８を外し、床スラブや屋根スラブ、壁等の鉄筋コンクリート構造物を構築する。
【００６８】
この鉄筋構造物１０Ｄは、図１の鉄筋構造物１０Ａが有する効果に加え、以下の効果を有する。鉄筋構造物１０Ｄは、互いに隣接する一対の突条２６を跨いで鉄筋トラス１３を配置することで、トラス１３の横方向の位置決めができるから、横方向の離間寸法を計りながらトラス１３をプリント金属板１１の上面１２に配置する必要はなく、金属板１１の上面１２においてトラス１３を横方向へ等しい間隔で離間平行させることができる。この鉄筋構造物１０Ｄは、鉄筋トラス１３の横方向の位置決めが容易であり、鉄筋トラス１３が横方向へ整然と並んだ鉄筋構造物１０Ｄを簡単に組み立てることができる。
【００６９】
図１３は、他の一例として示す鉄筋構造物１０Ｅの斜視図であり、図１４は、図１３の鉄筋構造物１０Ｅの上面図である。図１５は、図１３の１５−１５線矢視断面図である。図１３〜１５では、縦方向を矢印Ａ（図１３，１４のみ）、横方向を矢印Ｂで示し、上下方向を矢印Ｃ（図１５のみ）で示す。図１３，１４では、鉄筋構造物１０Ｅの縦方向の図示を一部省略し、図１４，１５では、結束線２８の図示を省略している。図１３〜１５では、型枠１８のうちの底板（合板）のみを図示し、型枠１８の各側板（合板）の図示を省略している。
【００７０】
この鉄筋構造物１０Ｅが図１のそれと異なるのは、金属板１１の上面１２に縦方向へ並ぶ複数の第２横筋２７（配力筋）が配置されている点にある。なお、この鉄筋構造物１０Ｅのその他の構成は図１の鉄筋構造物１０Ａと同一であるから、図１と同様の符号を付すことで、この鉄筋構造物１０Ｅにおけるその他の構成の説明は省略する。プリント金属板１１の下面１５には、図１の金属板１１のそれと同様に、所定のデザインが印刷されている。
【００７１】
第２横筋２７は、下端筋２０の下部であって下端筋２０とラチス筋２１の中間部２４との交差箇所またはその近傍に配置され、下端筋２０の下部との交差箇所において結束線２８を介して下端筋２０に連結されている。なお、図１３では、結束線２８の図示を一部省略しているが、実際には上端筋１９の上部と第１横筋１４との交差箇所のすべてにおいて上端筋１９と第１横筋１４とが結束線２８を介して連結され、下端筋２０の下部と第２横筋２７との交差箇所のすべてにおいて下端筋２０と第２横筋２７とが結束線２８を介して連結されている。
【００７２】
第２横筋２７は、下端筋２０の下部の他に、下端筋２０の上部であって下端筋２０とラチス筋２１の中間部２４との交差箇所またはその近傍に配置され、下端筋２０の上部との交差箇所において結束線２８を介して下端筋２０に連結されていてもよい。また、下端筋２０の下部または上部であって縦方向に隣接するラチス筋２１の中間部２４の間（ラチス筋１７の中間部２４の間に延びる下端筋２０の縦方向中央）に配置され、下端筋２０の下部または上部との交差箇所において結束線２８を介して下端筋２０に連結されていてもよい。
【００７３】
鉄筋トラス１３は、各ラチス筋２１の縦方向に隣接する上部２２どうしの離間寸法が等しく、上部２２が縦方向へ等間隔で並び、各ラチス筋２１の縦方向に隣接する下部２３どうしの離間寸法が等しく、下部２３が縦方向へ等間隔で並ぶとともに、下端筋２０とラチス筋２１との交差箇所が縦方向へ等間隔で並んでいる。鉄筋構造物１０Ｅは、横方向に隣接する鉄筋トラス１３どうしの離間寸法Ｌ１が等しく、それら鉄筋トラス１３が互いに平行して横方向へ等間隔で並んでいる。ゆえに、それら鉄筋トラス１３の横方向に隣接する上端筋１９どうしの離間寸法が等しく、それら上端筋１９が互いに平行して横方向へ等間隔で並び、それら鉄筋トラス１３の横方向に隣接する下端筋２０どうしの離間寸法が等しく、それら下端筋２０が互いに平行して横方向へ等間隔で並んでいる。鉄筋構造物１０Ｅは、縦方向に隣接する第１横筋１４どうしの離間寸法が等しく、それら第１横筋１４が互いに平行して縦横方向へ等間隔で並んでいる。鉄筋構造物１０Ｅは、縦方向に隣接する第２横筋２７どうしの離間寸法が等しく、それら第２横筋２７が互いに平行して縦横方向へ等間隔で並んでいる。
【００７４】
鉄筋構造物１０Ｅでは、第２横筋２７の数に時に限定はなく、構築する床スラブや屋根スラブ、壁等の大きさやそれらに必要な強度に合わせて図示の数を超える第２横筋２７が鉄筋トラス１３の下端筋２０に連結されていてもよい。第２横筋２７は、鉄を延伸して作られた断面形状が略円形の鉄棒であり、その周面に節（リブ）（図示せず）がある異形鉄棒が使用されている。第２横筋２７は、その太さについて特に限はなく、構築する床スラブや屋根スラブ、壁等の大きさやそれらに必要な強度に合わせて第２横筋２７の太さを自由に変えることができる。第２横筋２７は鉄から作られているが、鉄以外の金属から作ることもできる。また、第２横筋２７に鉄を用いる場合は、第２横筋２７にメッキ等の防錆処理が施されていてもよい。
【００７５】
この鉄筋構造物１０Ｅを作る手順は、それらトラス１３を金属板１１の上面１２に並べた後、下端筋２０の下部であって下端筋２０とラチス筋２１の中間部２４との交差箇所（またはその近傍）に第２横筋２７を配置し、下端筋２０の下部との交差箇所において結束線２８を介して第２横筋２７を下端筋２０に連結すること以外、図１の鉄筋構造物１０Ａのそれと同一である。なお、トラス１３を横方向へ並べたときにそれらトラス１３どうしに縦方向の多少のずれがあったとしても、第１および第２横筋１４，２７を上端筋１９や下端筋２０に連結する際に、そのずれが修正され、トラス１３が縦横方向へ確実に位置決めされた状態で整然と並ぶ。金属板１１の上面１２に鉄筋トラス１３と第１および第２横筋１４，２７とを配置して鉄筋構造物１０Ｅを作った後、トラス１３の上方から型枠内にコンクリートを打設し、所定期間養生する。養生期間が経過した後、型枠１８を外し、床スラブや屋根スラブ、壁等の鉄筋コンクリート構造物を構築する。なお、図４や図７、図１０に示す鉄筋構造物１０Ｂ．１０Ｃ，１０Ｄに図１３の第２横筋２７が配置されていてもよい。
【００７６】
この鉄筋構造物１０Ｅは、図１の鉄筋構造物１０Ａが有する効果に加え、以下の効果を有する。鉄筋構造物１０Ｅは、それに金属板１１や鉄筋トラス１３、第１横筋１４のみならず、第２横筋２７が含まれるから、その強度を一層向上させることができるのみならず、それにコンクリートを打設した場合のそのコンクリートに作用する曲げ引張力や曲げ圧縮力、せん断力にコンクリートが耐え得るようにコンクリートを十分に補強することができる。この鉄筋構造物１０Ｅは、第２横筋２７を下端筋２０の下部に結束線２８を介して連結されるから、第２横筋２７を金属板１１から上方に離間させた状態に支持することができ、上下端筋１９，２０やラチス筋２１、第１および第２横筋１４，２７から形成された立体的な鉄筋構造物１０Ｅを簡単に組み立てることができる。
【００７７】
鉄筋構造物１０Ｅは、下端筋２０とラチス筋２１の中間部２４との交差箇所が縦方向へ等間隔で並んでいるから、その交差箇所を目印とすることで第２横筋２７を下端筋２０に配置するときの位置決めが容易となり、第２横筋２７を縦方向へ等間隔で離間平行させた状態で下端筋２０に連結することができ、上下端筋１９，２０やラチス筋２１、第１および第２横筋１４，２７が整然と並んだ立体的な鉄筋構造物１０Ｅを簡単に組み立てることができる。この鉄筋構造物１０Ｅは、上下端筋１９，２０やラチス筋２１、第１および第２横筋１４，２７が整然と並んでいるから、それにコンクリートを打設して鉄筋コンクリート構造物を構築した後、曲げ引張力や曲げ圧縮力、せん断力がコンクリートに作用したとしても、それら力によるコンクリートの破壊を確実に防ぐことができる。
【００７８】
図１６は、他の一例として示す鉄筋構造物１０Ｆの斜視図であり、図１７は、図１６の鉄筋構造物１０Ｆの上面図である。図１８は、図１６の１８−１８線矢視断面図である。図１６〜１８では、縦方向を矢印Ａ（図１６，１７のみ）、横方向を矢印Ｂで示し、上下方向を矢印Ｃ（図１８のみ）で示す。図１６，１７では、鉄筋構造物１０Ｆの縦方向の図示を一部省略し、図１７，１８では、結束線２８の図示を省略している。図１６〜１８では、型枠１８のうちの底板（合板）のみを図示し、型枠１８の各側板（合板）の図示を省略している。
【００７９】
この鉄筋構造物１０Ｆが図１のそれと異なるのは、ラチス筋２１の下部２３が横方向外方へ屈曲していない点と、プリント金属板１１の上面１２に縦方向へ並ぶ複数の第２横筋２７が配置されている点とにある。なお、この鉄筋構造物１０Ｆのその他の構成は図１の鉄筋構造物１０Ａと同一であるから、図１と同様の符号を付すことで、この鉄筋構造物１０Ｆにおけるその他の構成の説明は省略する。プリント金属板１１の下面１５には、図１の金属板１１のそれと同様に、所定のデザインが印刷されている。
【００８０】
ラチス筋２１の下部２３は、上下方向下方へ向かって凸となるように弧を画いている。第２横筋２７は、下端筋２０の上部であって下端筋２０とラチス筋２１の中間部２４との交差箇所またはその近傍に配置され、下端筋２０の上部との交差箇所において結束線２８（図示せず）を介して下端筋２０に連結されている。第２横筋２７は、下端筋２０の上部の他に、下端筋２０の下部であって下端筋２０とラチス筋２１の中間部２４との交差箇所またはその近傍に配置され、下端筋２０の下部との交差箇所において結束線２８を介して下端筋２０に連結されていてもよい。また、下端筋２０の上部または下部であって縦方向に隣接するラチス筋２１の中間部２４の間に配置され、下端筋２０の上部または下部との交差箇所において結束線２８を介して下端筋２０に連結されていてもよい。
【００８１】
鉄筋トラス１３各ラチス筋２１の縦方向に隣接する上部２２どうしの離間寸法が等しく、上部２２が縦方向へ等間隔で並び、各ラチス筋２１の縦方向に隣接する下部２３どうしの離間寸法が等しく、下部２３が縦方向へ等間隔で並ぶとともに、下端筋２０とラチス筋２１との交差箇所が縦方向へ等間隔で並んでいる。鉄筋構造物１０Ｆは、横方向に隣接する鉄筋トラス１３どうしの離間寸法Ｌ１が等しく、それら鉄筋トラス１３が互いに平行して横方向へ等間隔で並んでいる。ゆえに、それら鉄筋トラス１３の横方向に隣接する上端筋１９どうしの離間寸法が等しく、それら上端筋１９が互いに平行して横方向へ等間隔で並び、それら鉄筋トラス１３の横方向に隣接する下端筋２０どうしの離間寸法が等しく、それら下端筋２０が互いに平行して横方向へ等間隔で並んでいる。鉄筋構造物１０Ｆは、縦方向に隣接する第１横筋１４どうしの離間寸法が等しく、それら第１横筋１４が互いに平行して縦横方向へ等間隔で並んでいる。鉄筋構造物１０Ｆは、縦方向に隣接する第２横筋２７どうしの離間寸法が等しく、それら第２横筋２７が互いに平行して縦横方向へ等間隔で並んでいる。
【００８２】
この鉄筋構造物１０Ｆを作る手順は、それらトラス１３を金属板１１の上面１２に並べた後、下端筋２０の上部であって下端筋２０とラチス筋２１の中間部２４との交差箇所（またはその近傍）に第２横筋２７を配置し、下端筋２０の上部との交差箇所において結束線２８を介して第２横筋２７を下端筋２０に連結すること以外、図１の鉄筋構造物１０Ａのそれと同一である。なお、トラス１３を横方向へ並べたときにそれらトラス１３どうしに縦方向の多少のずれがあったとしても、第１および第２横筋１４，２７を上端筋１９や下端筋２０に連結する際に、そのずれが修正され、トラス１３が縦横方向へ確実に位置決めされた状態で整然と並ぶ。金属板１１の上面１２に鉄筋トラス１３と第１および第２横筋１４，２７とを配置して鉄筋構造物１０Ｆを作った後、トラス１３の上方から型枠１８内にコンクリートを打設し、所定期間養生する。養生期間が経過した後、型枠１８を外し、床スラブや屋根スラブ、壁等の鉄筋コンクリート構造物を構築する。
【００８３】
この鉄筋構造物１０Ｆは、図１の鉄筋構造物１０Ａが有する効果に加え、以下の効果を有する。鉄筋構造物１０Ｆは、それに金属板１１や鉄筋トラス１３、第１横筋１４のみならず、第２横筋２７が含まれるから、その強度を一層向上させることができるのみならず、それにコンクリートを打設した場合のそのコンクリートに作用する曲げ引張力や曲げ圧縮力、せん断力にコンクリートが耐え得るようにコンクリートを十分に補強することができる。この鉄筋構造物１０Ｆは、第２横筋２７を下端筋２０の上部に結束線２８を介して連結されるから、第２横筋２７を金属板１１から上方に離間させた状態に支持することができ、上下端筋１９，２０やラチス筋２１、第１および第２横筋１４，２７から形成された立体的な鉄筋構造物１０Ｆを簡単に組み立てることができる。
【００８４】
鉄筋構造物１０Ｆは、下端筋２０とラチス筋２１の中間部２４との交差箇所が縦方向へ等間隔で並んでいるから、その交差箇所を目印とすることで第２横筋２７を下端筋２０に配置するときの位置決めが容易となり、第２横筋２７を縦方向へ等間隔で離間させた状態で下端筋２０に連結することができ、上下端筋１９，２０やラチス筋２１、第１および第２横筋１４，２７が整然と並んだ立体的な鉄筋構造物１０Ｆを簡単に組み立てることができる。この鉄筋構造物１０Ｆは、上下端筋１９，２０やラチス筋２１、第１および第２横筋１４，２７が整然と並んでいるから、それにコンクリートを打設して鉄筋コンクリート構造物を構築した後、曲げ引張力や曲げ圧縮力、せん断力がコンクリートに作用したとしても、それら力によるコンクリートの破壊を確実に防ぐことができる。
【符号の説明】
【００８５】
１０Ａ    鉄筋構造物
１０Ｂ    鉄筋構造物
１０Ｃ    鉄筋構造物
１０Ｄ    鉄筋構造物
１０Ｅ    鉄筋構造物
１０Ｆ    鉄筋構造物
１１      プリント金属板（板材）
１２      上面
１３      鉄筋トラス
１４      第１横筋
１５      下面
１９      上端筋
２０      下端筋
２１      ラチス筋
２２      上部
２３      下部
２４      中間部
２５      突条
２６      突条
２７      第２横筋
２８      結束線
【図１】
2010275740.tif 000003
【図２】
2010275740.tif 000004
【図３】
2010275740.tif 000005
【図４】
2010275740.tif 000006
【図５】
2010275740.tif 000007
【図６】
2010275740.tif 000008
【図７】
2010275740.tif 000009
【図８】
2010275740.tif 000010
【図９】
2010275740.tif 000011
【図１０】
2010275740.tif 000012
【図１１】
2010275740.tif 000013
【図１２】
2010275740.tif 000014
【図１３】
2010275740.tif 000015
【図１４】
2010275740.tif 000016
【図１５】
2010275740.tif 000017
【図１６】
2010275740.tif 000018
【図１７】
2010275740.tif 000019
【図１８】
2010275740.tif 000020